(57)【特許請求の範囲】
【請求項１】
昇降路内に制御盤が設置され、乗場呼び登録灯を内蔵した乗場ボタンを乗場に有し、乗場に搬入された乗場運転装置により上記制御盤の制御内容を調整して、かごを調整運転するエレベーターにおいて、
操作されると調整モードを設定する調整スイッチを上記かご内に設け、上記調整モードが設定されると上記乗場運転装置が搬入された乗場の乗場ボタンに、上記かごが上記乗場運転装置の搬入された乗場に近づくに従って、乗場呼び登録灯の点滅周期を早くさせる点灯制御手段を備え、
上記点灯制御手段は、上記かごの位置が上記乗場運転装置の搬入された乗場よりも上方にあるときは、上記かごが上記乗場運転装置の搬入された乗場に近づくに従って、上記乗場呼び登録灯の上り用の点滅周期を早くさせ、上記かごの位置が上記乗場運転装置の搬入された乗場よりも下方にあるときは、上記かごが上記乗場運転装置の搬入された乗場に近づくに従って、上記乗場呼び登録灯の下り用の点滅周期を早くさせることを特徴とするエレベーターの調整運転装置。
【請求項２】
上記点灯制御手段は、上記調整モードが設定されると上記乗場運転装置が搬入された乗場の階床表示灯に、上記調整運転に伴う上記かご位置階以外の調整数値を点灯表示させるものとしたことを特徴とする請求項１記載のエレベーターの調整運転装置。
【請求項３】
上記点灯制御手段は、上記調整モードが設定されると上記かご内に設置された行先階ボタンに内蔵された行先呼び登録灯に、かご位置階を表示させるものとしたことを特徴とする請求項１記載のエレベーターの調整運転装置。
【発明の詳細な説明】
【０００１】
【発明の属する技術分野】
この発明は、エレベーターを乗場から調整運転する装置に関するものである。
【０００２】
【従来の技術】
従来、エレベーターの制御盤は機械室に設置されていたが、建物のスペースの有効利用を図って、制御盤を昇降路内に配置するものが多くなっている。
また、エレベーターの据付調整時等に、乗場へ運転装置を搬入し、これを乗場に設けられた接続具に接続することにより、乗場からかごを調整運転する装置が、例えば特開平５−７８０５９号公報に開示されている。
【０００３】
【発明が解決しようとする課題】
上記のようなエレベーターの調整運転装置では、保守員が乗場で昇降路内のかごを調整運転するようにしているが、制御盤が昇降路内に設置されたものでは、かごの動きを確認することが極めて困難であるという問題点がある。すなわち、制御盤が機械室に設置されている場合は、制御盤に設けられた表示器等によってかごの動きを知ることができるが、制御盤が昇降路内に設置された場合は、それが容易にはできないからである。
【０００４】
この発明は上記問題点を解消するためになされたもので、制御盤が昇降路内に設置された場合の据付調整時のかごの運行及び調整状態を容易に確認できるようにしたエレベーターの調整運転装置を提供することを目的とする。
【０００５】
【課題を解決するための手段】
この発明の第１発明に係るエレベーターの調整運転装置は、調整スイッチの操作により調整モードが設定されると、乗場運転装置が搬入された乗場の乗場ボタンに、かごが乗場運転装置の搬入された乗場に近づくに従って、乗場呼び登録灯の点滅周期を早くさせる点灯制御手段を備え、かごの位置が乗場運転装置の搬入された乗場よりも上方にあるときは、かごが乗場運転装置の搬入された乗場に近づくに従って、乗場呼び登録灯の上り用の点滅周期を早くさせ、かごの位置が乗場運転装置の搬入された乗場よりも下方にあるときは、かごが乗場運転装置の搬入された乗場に近づくに従って、乗場呼び登録灯の下り用の点滅周期を早くさせるようにしたものである。
【０００７】
また、第２発明に係るエレベーターの調整運転装置は、第１発明のものにおいて、調整モードが設定されると、乗場運転装置が搬入された乗場の階床表示灯に、調整運転に伴うかご位置階以外の調整数値を点灯表示させるようにしたものである。
【０００８】
また、第３発明に係るエレベーターの調整運転装置は、第１発明のものにおいて、調整モードが設定されると、かご内に設置された行先階ボタンに内蔵された行先呼び登録灯にかご位置階を表示させるようにしたものである。
【００１１】
【発明の実施の形態】
実施の形態１．
図１〜図３はこの発明の第１及び第２発明の一実施の形態を示す図で、図１は昇降路縦断面図、図２は機能構成図、図３は動作フローチャートであり、図中同一符号は同一部分を示す。
【００１２】
図１において、１はエレベーターの昇降路、２は昇降路１内に配置されたエレベーターのかご、３は同じくつり合おもり、４は昇降路１の上部に設置された滑車、５は主索であり、かご２及びつり合おもり３は、滑車４に巻き掛けられた主索５の両端に結合されている。６は主索５に張力を与える張り車、７は昇降路１内に設置された制御盤である。
【００１３】
８は昇降路１内の上部に設置され、制御盤７に接続された中継箱、９は一端が中継箱９に接続され、他端がかご２の下部に接続されて、昇降路１内に懸垂された移動ケーブル、１０はかご２内に設置され、行先階の呼びを登録するための行先階ボタン、１１はかご位置を表示するかご内位置表示器、１２は据付調整時に操作されるかご内調整スイッチである。
【００１４】
１３は昇降路１内に設置され、各階床に配置された乗場ステーション、１４は乗場ステーション１３に接続され乗場呼びを登録するための乗場ボタン、１５は同じくかご位置を表示する乗場位置表示器、１６は制御盤７に接続され所定階の乗場に設けられた接続具、１７は据付調整時に乗場に搬入され、接続具１６を介して接続される乗場運転装置、１８は乗場で作業する保守員、１９は昇降路１内で作業する保守員である。
【００１５】
図２において、７ａは制御盤７に設けられたエレベーター制御手段、１０ａは行先階ボタン１０に内蔵された行先呼び登録灯、１１ａはかご内位置表示器１１に内蔵された階床表示灯、１４ａは乗場ボタン１４に内蔵された乗場呼び登録灯、１５ａは乗場位置表示器１５に内蔵された階床表示灯、２１は呼び登録灯１０ａ，１４ａを点灯制御する呼び登録灯点灯制御手段、２２は階床表示灯１１ａ，１５ａを点灯制御する階床表示灯点灯制御手段である。
【００１６】
次に、この実施の形態の動作を説明する。まず、全体的な動作について説明する。
制御盤７の調整を実施するには、まず接続具１６が設けられた階の乗場に乗場運転装置１７を搬入し、これを接続具１６に接続する。なお、かご２が複数台設置されている場合は、調整が必要な制御盤７に接続された接続具１６に乗場運転装置１７を接続する。次に、乗場運転装置１７の表示部（図示しない）に、制御盤７の制御内容及び各種エレベーター機器からの信号等を表示させて確認し、操作部（図示しない）を操作して制御盤７を調整する。
【００１７】
これで、乗場側からかご２を運転することが可能であるが、乗場側からはかご２の動きは分からない。そこで、かご２の運行及び調整状態を容易に確認できるようにするための動作を、図２及び図３を参照して説明する。
通常時はかご内調整スイッチ１２は操作されておらず、エレベーター制御手段７ａは通常モードに設定され、呼び登録灯点灯制御手段２１は呼び登録灯１０ａ，１４ａを通常に点灯制御する。
【００１８】
すなわち、かご２内でＮ階の行先階ボタン１０が操作されてＮ階の行先呼びが登録されると、その行先階ボタン１０に内蔵された行先呼び登録灯１０ａが点灯し、かご２がＮ階に到着すると、行先呼び登録灯１０ａは消灯する。また、Ｎ階の乗場で乗場ボタン１４が操作されてＮ階の乗場呼びが登録されると、その乗場ボタン１４に内蔵された乗場呼び登録灯１４ａが点灯し、かご２がＮ階に到着すると乗場呼び登録灯１４ａは消灯する。
【００１９】
据付調整時に保守員１８がかご２に乗ってかご内調整スイッチ１２を操作すると、エレベーター制御手段７ａは調整モードに設定される。
次に、保守員１８がかご２から乗場に降り、乗場運転装置１７を操作すると、ステップＳ１で動作指令が出力される。ステップＳ２で調整モードか、すなわちかご内調整スイッチ１２が操作されているかを判断する。調整モードでないときは、ステップＳ６へ飛び、乗場呼び登録灯１４ａ及び行先呼び登録灯１０ａを消灯する。調整モードであればステップＳ３へ進み、調整中のかご２が走行しているかを判断する。
【００２０】
調整中のかご２が走行しているときは、ステップＳ４で乗場呼び登録灯１４ａ及び行先呼び登録灯１０ａを通常時とは異なる態様で点灯してステップＳ３へ戻る。これで、調整モードになったことが表示される。その後、保守員１８は乗場運転装置１７を操作してかご２を調整運転する。調整中のかご２の走行でないときは、ステップＳ３からステップＳ５へ進み、調整モードが終了したか、すなわちかご２が停止し、調整の処理が終了したかを判断し、終了していなければステップＳ４へ進み、呼び登録灯１４ａ，１０ａの点灯は継続する。調整モードが終了すれば、ステップＳ６へ進み、呼び登録灯１４ａ，１０ａを消灯する。これで、調整モードが終了したことが分かる。
【００２１】
なお、ステップＳ４の点灯態様については、実施の形態２で説明する。ここで、ステップＳ２〜Ｓ６は点灯制御手段を構成している。
このようにして、かご内調整スイッチ１２が操作されると、呼び登録灯１４ａ，１０ａが通常時とは異なる態様で点灯して、乗場及びかご２内に調整モードになったことを表示し、調整作業が終了すると、呼び登録灯１４ａ，１０ａは消灯して、調整モードが終了したことを知らせる。
【００２２】
実施の形態２．
図４はこの発明の第３〜第５発明の一実施の形態を示す呼び登録灯の点灯態様説明図で、（Ａ）は点滅速度一定の場合、（Ｂ）は点滅速度変化の場合である。なお、図１〜図３は実施の形態２にも共用する。この実施の形態は図３のステップＳ４の詳細を示すものである。
【００２３】
調整モードが設定されると、行先呼び登録灯１０ａは行先呼びの登録を示す本来の機能から、かご２に対応する階床を示す機能に切り換わり、その階床に相当する行先呼び登録灯１０ａが点滅する。このとき、図４（Ａ）に示すように、かご２の走行速度に応じて、その点滅速度を短くして、保守員に走行時の体感とともに、目視で走行状態を確認させる。
【００２４】
このとき、調整運転のための行先呼びに対する登録表示と、調整モード用の表示とは、その表示態様を変えることで、保守員はそれぞれを区別して確認することができる。例えば、上記調整運転用の行先呼び登録灯１０ａでは、特定の時間間隔で点滅を繰り返したり、特定のリズムで点滅を繰り返したりすることで、調整モードの表示と区分できる。逆に、呼び登録に対しては、登録中は点灯を継続し、調整モードで停止中には特定の時間間隔で点滅を繰り返すようにしてもよい。
【００２５】
一方、乗場呼び登録灯１４ａを利用して表示する場合には、通常乗場呼び登録灯１４ａは上り用及び下り用の二つしかなく、終端階では一つしかない。そこで、種々調整時の情報を表示するのに工夫を要する。例えば、かご２のいる位置と、その乗場呼び登録灯１４ａが示す階床との距離に従って、かご２が階床に近づくに従って、図４（Ｂ）に示すように、点滅周期を早くする。これによって、自分のいる階床とかご２との近さを認識できるので、注意を喚起することができる。
【００２６】
また、かご２の位置が自階床よりも上方にあるときは、乗場呼び登録灯１４ａの上り用を利用して表示し、かご２の位置が自階床よりも下方にあるときは、下り用を利用して表示することにより、自階床とかご２の位置関係（上方にあるか下方にあるか）を認識することができる。
【００２７】
実施の形態３．
この発明の第５及び第６発明の一実施の形態を示し、図１〜図３を共用する。ただし、図３のステップＳ４は「数値情報を表示」と読み換え、ステップＳ６は「階床表示灯消灯」と読み換えるものとする。
次に、この実施の形態の動作を説明するが、基本的な動作は実施の形態１と同様であるので、相違点について説明する。
【００２８】
通常時、エレベーター制御手段７ａは通常モードに設定され、階床表示灯点灯制御手段２２は階床表示灯１５ａ，１１ａを通常に点灯制御する。すなわち、かご２の走行に従って、かご２が対応する階床を、乗場位置表示器１５及びかご内位置表示器１１に表示する。
据付調整時は、ステップＳ３で調整すべきかご２の走行であると判断したときは、ステップＳ４で乗場位置表示器１５及びかご内位置表示器１１に調整時の数値情報を表示する。
【００２９】
この数値情報としては、走行時のかご２の最大走行速度、着床時間（階床の所定距離手前から、かご２が停止するまでの時間）などがある。そして、これらによって制御系の定数が調整される。
このようにして、乗場位置表示器１５及びかご内位置表示器１１に調整時の数値情報が表示され、いっそう的確な情報を得ることが可能となり、作業効率の向上が図れる。
【００３０】
【発明の効果】
以上説明したとおりこの発明の第１発明では、調整スイッチの操作により調整モードが設定されると、乗場運転装置が搬入された乗場の乗場ボタンに、かごが乗場運転装置の搬入された乗場に近づくに従って、乗場呼び登録灯の点滅周期を早くさせる点灯制御手段を備え、かごの位置が乗場運転装置の搬入された乗場よりも上方にあるときは、かごが乗場運転装置の搬入された乗場に近づくに従って、乗場呼び登録灯の上り用の点滅周期を早くさせ、かごの位置が乗場運転装置の搬入された乗場よりも下方にあるときは、かごが乗場運転装置の搬入された乗場に近づくに従って、乗場呼び登録灯の下り用の点滅周期を早くさせるようにしたので、エレベーターが調整モードに設定されたことを、乗場運転装置が搬入された乗場の保守員に知らせることができる。さらに、昇降路内に制御盤が設置されて、調整作業時にかごの動きが確認できない場合でも、保守員に、調整作業中に必要不可欠なかごの状態表示を確認させることができる。
【００３１】
また、第２発明では、調整モードが設定されると、乗場運転装置が搬入された乗場の階床表示灯に、調整運転に伴うかご位置階以外の調整数値を点灯表示させるようにしたので保守員にいっそう的確な情報を与え、作業効率の向上を図ることができる。
【００３２】
また、第３発明では、調整モードが設定されると、かご内に設置された行先階ボタンに内蔵された行先呼び登録灯に、かご位置階を表示させるようにしたので、かご内の保守員にかご位置階を確認させることができる。
【図面の簡単な説明】
【図１】この発明の実施の形態１を示す昇降路縦断面図。
【図２】この発明の実施の形態１を示す機能構成図。
【図３】この発明の実施の形態１を示す動作フローチャート。
【図４】この発明の実施の形態２を示す呼び登録灯の点灯態様説明図で、（Ａ）は点滅速度一定の場合、（Ｂ）は点滅速度変化の場合。
【符号の説明】
１  エレベーターの昇降路、２  エレベーターのかご、７  制御盤、１０  行先階ボタン、１０ａ  行先呼び登録灯、１１  かご内位置表示器、１１ａ  階床表示灯、１２  かご内調整スイッチ、１４  乗場ボタン、１４ａ  乗場呼び登録灯、１５  乗場位置表示器、１５ａ  階床表示灯、２１  呼び登録灯点灯制御手段、２２  階床表示灯点灯制御手段、Ｓ２〜Ｓ６  点灯制御手段。
【図１】
0004592139.tif 000002
【図２】
0004592139.tif 000003
【図３】
0004592139.tif 000004
【図４】
0004592139.tif 000005